(57)【要約】【課題】ペン先部を先端に有した前軸とインキを直に収容する胴軸を着脱自在に連接してなり、前軸より離脱した胴軸の開口したインキ充填口よりインキを充填する構造の万年筆において、胴軸へインキを充填する際に、前軸や胴軸および充填を行なっている机上等の周辺をインキで汚すことのないように、前軸と胴軸を立てた状態で保持できる、万年筆の軸筒用スタンドを得る。【解決手段】直方体形状のスタンド本体２の上面３に、万年筆の前軸のペン先部側を挿入する前軸用挿入孔５と、万年筆の胴軸のインキ充填口側と反対側を挿入する胴軸用挿入孔６をスタンド本体２の底面４に対して垂直となるように設ける。また、上面３に、前記胴軸にインキを注入するためのスポイトを載置するための凹部７を設ける。【選択図】図１
2011073418.tif 000002
【特許請求の範囲】
【請求項１】
ペン先部を有した前軸とインキを直に収容する胴軸を着脱自在に連接してなり、前軸より離脱した胴軸の開口したインキ充填口よりインキを充填する構造の万年筆の前軸と胴軸を、スタンド本体の底面に対して略垂直に立てた状態で保持可能な、ペン先部側を挿入する前軸用挿入孔と胴軸のインキ充填口側と反対側を挿入する胴軸用挿入孔をスタンド本体に設けたことを特徴とする、万年筆の軸筒用スタンド。
【請求項２】
前記前軸用挿入孔と胴軸用挿入孔に、底部を閉塞した洗浄可能な材質で形成した前軸用内カップ体と胴軸用内カップ体をそれぞれ着脱自在に挿着し、前軸用内カップ体または胴軸用内カップ体を介して前記万年筆の前軸と胴軸を挿入してなる、請求項１に記載の万年筆の軸筒用スタンド。
【請求項３】
前記胴軸にインキを注入するためのスポイトを載置するための凹部を設けた、請求項１または２に記載の万年筆の軸筒用スタンド。
【請求項４】
前記凹部に、洗浄可能な材質で形成した受皿体を着脱自在に嵌着し、受皿体を介してスポイトを載置してなる、請求項３に記載の万年筆の軸筒用スタンド。
【発明の詳細な説明】
【技術分野】
【０００１】
本発明は、万年筆の軸筒用スタンドに関する。
【背景技術】
【０００２】
ペン先部を先端に有した前軸とインキを直に収容する胴軸を着脱自在に連接し、前軸より離脱した胴軸の開口したインキ充填口よりインキを充填する、いわゆる「インキ止め式万年筆」と言われている万年筆は、従来より知られている。
【０００３】
図１２を用いてインキ止め式万年筆について詳述すると、インキ止め式万年筆５１は、ペン５２と櫛溝５３を有したペン芯５４とで構成されたペン先部５５を有した前軸５６と、該前軸５６に螺子嵌合により着脱自在に連接したインキを直に収容する胴軸（後軸とも言う）５７を着脱自在に連接し、前軸５６より離脱した胴軸５７の先端の開口したインキ充填口５８よりインキを充填する構造のものである。一般的に、胴軸５７の内部には、前軸５６の後端部５６ａに形成したインキ導入口５９を開閉するための、先端に、前記インキ導入口５９の内壁面６０に密接に当接するシール部６１を設けた心棒６２を配してある。例えば、心棒６２は、胴軸５７の後端部５７ａに固着したパッキンホルダー６３に該パッキンホルダー６３に設けた前側弾性パッキン６４と後側弾性パッキン６５により密接に当接して移動可能に挿入し、心棒６２の後端を胴軸５７の後端に配した尾冠６６に固定した螺子駒６７に挿通して、心棒６２の後端にナット６８を螺着することで、心棒６２を尾冠６６に連動して移動可能に設けてある。
【０００４】
筆記する際は、図１２の（ｂ）に示すように、尾冠６６を胴軸５７の後端から後退（図において右側）させ、心棒６２のシール部６１を前軸５６のインキ導入口５９の内壁面６０より離間させてインキ導入口５９を開口し、胴軸５７内のインキをペン先部５５に供給する構造である。
【０００５】
インキ止め式万年筆におけるインキの充填は、一般的には、胴軸の前軸との螺子嵌合を緩めて胴軸を前軸より外し、スポイト等でインキ瓶等よりインキを吸入し、そのインキを胴軸に直に注ぎ込み充填する。その際、外した前軸は机上等に敷いた紙等の上に置き、胴軸を手に持ってインキを充填し、充填が終わると、スポイトを前記紙等の上に置いたりインキ瓶に挿したりして置き、前軸と胴軸の螺子を締めて完了する。
【０００６】
そのために、胴軸より外した前軸のペン先や前軸の胴軸との螺子嵌合のねじ部にインキが付着していたりすると、紙等にインキが付着し、さらには紙等を浸透して机上等を汚してしまうという問題があった。また、前記スポイト操作は片手操作となるために、インキ瓶のインキ残量が少ない場合にはインキ瓶を傾ける必要があるが、もう一方の片手は胴軸を持っているため、インキ瓶等よりインキをスポイトで吸入する際も、場合によっては操作がし難いという問題があった。また、胴軸にインキを充填の際に、スポイトの外周にインキが付着した状態で胴軸にインキを充填し続けると、胴軸のインキ充填口がインキで汚れてしまい、スポイトの外周に付着したインキを拭こうとすると、スポイトを胴軸を持った方の片手に持ち紙等でスポイトの外周を拭かなければならなく、操作性が悪く、場合によっては胴軸に充填したインキを零して、周りをインキで汚してしまうという問題もあった。
【０００７】
ところで従来より、ペンスタンド本体に挿入孔を設け、該挿入孔に筆記具のペン先部を挿入して筆記具を倒立状態に保持するペンスタンドは知られている。本発明者は、前記した諸問題を解決するには、インキ吸入の際の万年筆の軸筒用スタンドがあれば良いことを思いつき、本発明に至った。
【先行技術文献】
【特許文献】
【０００８】
【特許文献１】実開平５−９５７８２号公報
【特許文献２】実開平６−８６９８５号公報
【発明の概要】
【発明が解決しようとする課題】
【０００９】
本発明が解決しようとする課題は、ペン先部を先端に有した前軸とインキを直に収容する胴軸を着脱自在に連接してなり、前軸より離脱した胴軸の開口したインキ充填口よりインキを充填する構造の万年筆において、胴軸へインキを充填する際に、前軸や胴軸および充填を行なっている机上等の周辺をインキで汚すことのないように、前軸と胴軸を立てた状態で保持できる、万年筆の軸筒用スタンドを得ることにある。
【課題を解決するための手段】
【００１０】
本発明は、
「１．ペン先部を有した前軸とインキを直に収容する胴軸を着脱自在に連接してなり、前軸より離脱した胴軸の開口したインキ充填口よりインキを充填する構造の万年筆の前軸と胴軸を、スタンド本体の底面に対して略垂直に立てた状態で保持可能な、ペン先部側を挿入する前軸用挿入孔と胴軸のインキ充填口側と反対側を挿入する胴軸用挿入孔をスタンド本体に設けたことを特徴とする、万年筆の軸筒用スタンド。
２．前記前軸用挿入孔と胴軸用挿入孔に、底部を閉塞した洗浄可能な材質で形成した前軸用内カップ体と胴軸用内カップ体をそれぞれ着脱自在に挿着し、前軸用内カップ体または胴軸用内カップ体を介して前記万年筆の前軸と胴軸を挿入してなる、前記１項に記載の万年筆の軸筒用スタンド。
３．前記胴軸にインキを注入するためのスポイトを載置するための凹部を設けた、前記１項または２項に記載の万年筆の軸筒用スタンド。
４．前記凹部に、洗浄可能な材質で形成した受皿体を着脱自在に嵌着し、受皿体を介してスポイトを載置してなる、前記３項に記載の万年筆の軸筒用スタンド。」
である。
【００１１】
本発明において、万年筆の前軸と胴軸を、スタンド本体の底面に対して略垂直に立てた状態で保持可能な、前軸用挿入孔と胴軸用挿入孔を設ける必要があるが、略垂直に立てた状態とはペンスタンドのスタンド本体の底面に対して直角ということではなく、胴軸内に収容したインキが零れでない程度には若干傾いても良い。
【発明の効果】
【００１２】
本発明は前記したような構造なので、ペン先部を先端に有した前軸とインキを直に収容する胴軸を着脱自在に連接してなり、前軸より離脱した胴軸の開口したインキ充填口よりインキを充填する構造の万年筆の胴軸にインキを充填する際に、前軸と胴軸を万年筆の軸筒用スタンドの前軸用挿入孔と胴軸用挿入孔に各々挿入して保持すれば、前軸に付着したインキが周辺の机上等や万年筆や前記スタンド以外の物品に接することがないので、周辺をインキで汚すことがないという効果をもたらす。また、胴軸を手に持つことなくインキを充填できるので、スポイト等でインキ瓶よりインキを吸入する際に、インキ瓶内のインキの残量が少ない場合には、インキ瓶を手に持って傾けることができ、スポイト等でインキ瓶内のインキを残り少なくなるまで吸入することができるという利点がある。
【００１３】
請求項２に係る発明とすることで、前記万年筆の前軸や胴軸を前軸用内カップ体や胴軸用内カップ体に挿入して、インキが前記内カップ体に付着しても、前軸用内カップ体や胴軸用内カップ体を前軸用挿入孔や胴軸用挿入孔より取り出して容易に洗浄することができるので、万年筆の前軸や胴軸を挿入することにより、逆に前軸や胴軸にインキが付着して前軸や胴軸を汚してしまうことを防止することができる。
【００１４】
請求項３に係る発明とすることで、前記万年筆の胴軸にインキを充填し、胴軸を前軸に連接する際に、インキで汚れたスポイト等をペンスタンドに載置できるので、スタンド周辺の机等の上面をインキで汚す心配がなく、スポイト等を置くために紙等を机上に敷く必要がないので手間がかからないという利点がある。また、スポイトを他の場所に保管しておく必要もなく凹部に載置しておけば、インキ吸入の際にスポイトを探すという手間を省けるという利点もある。
【００１５】
請求項４に係る発明とすることで、インキで汚れたスポイトを受皿体に載置しても、受皿体を取り出して容易に洗浄することができるので、スタンド本体の凹部をインキで汚した状態のままではなく、いつまでも美観を保つことができる。
【図面の簡単な説明】
【００１６】
【図１】本発明の万年筆の軸筒用スタンドの第１の実施例を示す、万年筆の軸筒用スタンドの上面図である。
【図２】図１におけるＡ−Ａ線部分の断面図である。
【図３】図１におけるＢ−Ｂ線部分の断面図である。
【図４】図１における第１の実施例の万年筆の軸筒用スタンドの底面図である。
【図５】第１の実施例の万年筆の軸筒用スタンドにインキ止め式の万年筆の軸筒を保持した状態を示す、万年筆の軸筒用スタンドを断面した図である。
【図６】第１の実施例の万年筆の軸筒用スタンドにスポイトを載置した状態を示す、万年筆の軸筒用スタンドの上面図である。
【図７】本発明の万年筆の軸筒用スタンドの第２の実施例を示す、万年筆の軸筒用スタンドの上面図である。
【図８】図７におけるＣ−Ｃ線部分の断面図である。
【図９】図８において、万年筆の軸筒用スタンドから内カップ体を取り出した状態を示した図である。
【図１０】図７におけるＤ−Ｄ線部分の断面図である。
【図１１】図１０において、万年筆の軸筒用スタンドから受皿体を取り出した状態を示した図である。
【図１２】インキ止め式の万年筆の断面図で、（ａ）は非筆記時の状態を示す図で、（ｂ）は筆記時の状態を示す図である。
【発明を実施するための最良の形態】
【００１７】
本発明は、インキ止め式万年筆における、ペン先部を有した前軸とインキを直に収容する胴軸を立てた状態で保持できるように、前軸用挿入孔と胴軸用挿入孔を設ける。
【実施例】
【００１８】
本発明の万年筆の軸筒用スタンドの実施例を図面を用いて説明するが、本発明は実施例に限定されるものではない。なお、図中の同じ部材、同じ箇所を示す場合は、同じ符号を付してある。
本発明の第１の実施例の万年筆の軸筒用スタンド１を、図１〜図６を用いて説明すると、第１の実施例の万年筆の軸筒用スタンド１は、図１に示すように、直方体形状のスタンド本体２の上面３に、図１２に示すようなインキ止め式万年筆と言われている万年筆５１のペン先部５５を有した前軸５６とインキを直に収容する胴軸５７を、図２および図５に示すように、スタンド本体２の底面４に対して垂直に立てた状態で保持可能となるように、ペン先部５５側を挿入する前軸用挿入孔５と、胴軸５７のインキ充填口５８側と反対側を挿入する胴軸用挿入孔６をスタンド本体２の底面４に対して垂直となるように設けてある。また、上面３には、図３および図６に示すように、前記胴軸５７にインキを注入するためのスポイト１０１を載置するための凹部７を設けてある。凹部７は、スポイト１０１を載置した際にスポイト１０１を掴んで取り出しやすいように、長手方向の中央部に幅広部８を設けてある。
【００１９】
スタンド本体２の底面４には、図４に示すように、四隅にフェルト製の脚部９を貼着して設けてある。
【００２０】
図７〜図１１に示す、第２の実施例の万年筆の軸筒用スタンド２１は、前記第１の実施例の万年筆の軸筒用スタンド１と同様に、直方体形状のスタンド本体２の上面３に、図９に示すように、スタンド本体２の底面４に対して垂直に形成した前軸用挿入孔５と胴軸用挿入孔６を設けてあり、また上面３には、図１１に示すように、スポイト（図示せず）を載置するための凹部７を設けてある。
【００２１】
前記前軸用挿入孔５には、図８および図９に示すように、インキ止め式の万年筆（図示せず）の前軸のペン先部側を挿着可能に形成した、底部２２を閉塞したポリエチレン製の前軸用内カップ体２３を着脱自在に嵌着してある。前記胴軸用挿入孔６にも、図８および図９に示すように、インキ止め式の万年筆（図示せず）の胴軸のインキ充填口側と反対側を挿着可能に形成した、底部２４を閉塞したポリエチレンで形成した胴軸用内カップ体２５を着脱自在に嵌着してある。前軸用内カップ体２３および胴軸用内カップ体２５には、前軸用挿入孔５や胴軸用挿入孔６から抜き出しやすくするために、指で掴めるように、スタンド本体２の上面より突出し外径を前軸用挿入孔５や胴軸用挿入孔６より大径とした挟持部２６、２７を設けてある。
【００２２】
前記凹部７には、図１０および図１１に示すように、ポリエチレンで形成した受皿体２８を着脱自在に嵌着してある。
【００２３】
第２の実施例の万年筆の軸筒用スタンド２１のスタンド本体２の底面４には、前記第１の実施例の万年筆の軸筒用スタンド１と同様に、図４に示すように四隅にフェルト製の脚部９を貼着して設けてある。
【００２４】
第２の実施例の万年筆の軸筒用スタンド２１は、インキ止め式万年筆へのインキの補給の際に、前軸や胴軸を前軸用内カップ体２３や胴軸用内カップ体２５に挿着した際に、あるいは胴軸にインキを充填する際に使用したインキで汚れたスポイトを受皿体２８に載置して、前軸用内カップ体２３や胴軸用内カップ体２５や受皿体２８がインキで汚れても、それらを容易に洗浄することができる。
【産業上の利用可能性】
【００２５】
ペン先部を先端に有した前軸とインキを直に収容する胴軸を着脱自在に連接し、前軸より離脱した胴軸の開口したインキ充填口よりインキを充填するインキ止め式万年筆において、インキを胴軸を充填する際に、周りをインキで汚したくない時に使用するための、スタンドであるが、他の筆記具のペンスタンドとしても適用できる。
【符号の説明】
【００２６】
１、２１  万年筆の軸筒用スタンド
２  スタンド本体
３  上面
５  前軸用挿入孔
６  胴軸用挿入孔
２３  前軸用内カップ体
２５  胴軸用内カップ体
２８  受皿体
【図１】
2011073418.tif 000003
【図２】
2011073418.tif 000004
【図３】
2011073418.tif 000005
【図４】
2011073418.tif 000006
【図５】
2011073418.tif 000007
【図６】
2011073418.tif 000008
【図７】
2011073418.tif 000009
【図８】
2011073418.tif 000010
【図９】
2011073418.tif 000011
【図１０】
2011073418.tif 000012
【図１１】
2011073418.tif 000013
【図１２】
2011073418.tif 000014